(57)【要約】【課題】眼鏡注文者が想定していたレンズの外観デザインとできる限り同一の眼鏡レンズを、できるだけ低廉なコストで注文する眼鏡レンズ注文方法を提供する。【解決手段】眼鏡レンズ注文方法は、（ａ）レンズ基材を作成することと、（ｂ）眼鏡レンズの外観デザインを装用者に選択させることと、（ｃ）試着レンズを作成することと、（ｄ）試着レンズを眼鏡フレームに装着することと、（ｅ）眼鏡フレームから試着レンズを取り外すことと、（ｆ）（ｅ）の後、試着レンズに形成された装飾層を除去することと、（ｇ）試着レンズが所望の外観デザインに適合すると装用者に評価されるまで（ｂ）、（ｃ）、（ｄ）、（ｅ）、及び（ｆ）を繰り返し行うことと、（ｈ）外観デザインの情報を含む、眼鏡レンズの注文情報を送信することと、を含む。【選択図】図３
2013257401.tif 000002
【特許請求の範囲】
【請求項１】
（ａ）眼鏡フレームの形状に合わせてレンズ基材を作成することと、
（ｂ）眼鏡レンズの外観デザインを装用者に選択させることと、
（ｃ）前記選択された外観デザインに基づき、前記レンズ基材に対して装飾層を形成することによって、試着レンズを作成することと、
（ｄ）前記試着レンズを前記眼鏡フレームに装着することと、
（ｅ）前記試着レンズが所望の外観デザインに適合していないと前記装用者に評価される場合に、前記眼鏡フレームから前記試着レンズを取り外すことと、
（ｆ）（ｅ）の後、前記試着レンズに形成された前記装飾層を除去することと、
（ｇ）前記試着レンズが前記所望の外観デザインに適合すると前記装用者に評価されるまで（ｂ）、（ｃ）、（ｄ）、（ｅ）、及び（ｆ）を繰り返し行うことと、
（ｈ）前記試着レンズが前記所望の外観デザインに適合すると前記装用者に評価される場合に、前記選択された外観デザインの情報を含む前記眼鏡レンズの注文情報を送信することと、
を含む、眼鏡レンズ注文方法。
【請求項２】
請求項１に記載の眼鏡レンズ注文方法において、
前記装飾層を形成することは、前記レンズ基材に対して、極性基を有する有機ポリマーを含む装飾液を塗布することを含む、眼鏡レンズ注文方法。
【請求項３】
請求項２に記載の眼鏡レンズ注文方法において、
前記装飾液を塗布することは、インクジェット法によって前記装飾液を塗布することである、眼鏡レンズ注文方法。
【請求項４】
請求項１〜３のいずれか一項に記載の眼鏡レンズ注文方法において、
前記レンズ基材を作成することは、前記装用者の処方に基づき選択される完成品レンズを用いて作成する、眼鏡レンズ注文方法。
【請求項５】
請求項１〜４のいずれか一項に記載の眼鏡レンズ注文方法において、
前記外観デザインは、前記眼鏡レンズに付与するカラー、グラデーション、及び模様の少なくともいずれかである、眼鏡レンズ注文方法。
【発明の詳細な説明】
【技術分野】
【０００１】
本発明は、眼鏡レンズ注文方法に係り、特に、装飾が施された眼鏡レンズを注文することに好適な眼鏡レンズ注文方法に関する。
【背景技術】
【０００２】
装用者の視力を矯正する用途として従来から眼鏡レンズが使用されている。近年では視力の矯正だけでなく、眼鏡レンズを染色することによって、短波長の光を効率的にカットし、眩しさを低減する機能を付与した染色レンズが実現されている。
【０００３】
また、眼鏡レンズは、単なる視力矯正の道具としてだけでなく、ファッションアイテムとしての機能が重視されつつある。例えば、肌色を美しく見せるために、様々なカラーバリエーションの中から装用者が好みのカラーを選択して、選択されたカラーを付与した染色レンズが実現されている。
【０００４】
眼鏡レンズのカラーを選択する方法として、特許文献１には、コンピューター制御による表示画面を含む手段を用いた対話方式によって、表示画面上で、予め用意された複数種類のベースデザインのフレームの中から任意の１つを選択し、この選択したベースデザインのフレームをもとにして、レンズのカラーを含む外観デザインを任意に変更することによって、表示画面上で眼鏡注文者（装用者）の好みに応じた最適な眼鏡仕様を決定して注文することができる眼鏡のオーダーメイドシステムについて記載されている。
【先行技術文献】
【特許文献】
【０００５】
【特許文献１】国際公開第９８／０５２０９２号パンフレット
【発明の概要】
【発明が解決しようとする課題】
【０００６】
特許文献１に記載された眼鏡のオーダーメイドシステムでは、眼鏡注文者の好みに応じたレンズのカラー等の外観デザインを選択して眼鏡を注文することが可能である。しかし、レンズが眼鏡注文者の好みの外観デザインかどうかは表示画面上の画像でしか判断することができない。その結果、注文したレンズの外観デザインが、眼鏡注文者が想定していた外観デザインと異なるといった不具合が発生する。この不具合には様々な原因が考えられるが、一例としては、表示画面の色校正が不十分で、カラーを正確に表示できていないことが考えられる。また、実際に試着してみないとレンズが自分の好みの外観デザインに適合しているかどうかについて、眼鏡注文者が判断できないといった事情も考えられる。
【０００７】
一方、レンズが眼鏡注文者の好みの外観デザインに適合しているかを確認するために、眼鏡注文者に実際に試着してもらうこととすると、レンズが好みの外観デザインに適合していない場合には、試着用のレンズを作り直す必要が生じる。この結果、試着のためのレンズ作成に要するコストが増大することとなる。
【０００８】
本発明は、このような事情に鑑みてなされたものであり、眼鏡注文者が想定していたレンズの外観デザインとできる限り同一の眼鏡レンズを、できるだけ低廉なコストで注文することが可能な眼鏡レンズの注文方法を実現することを目的とする。
【課題を解決するための手段】
【０００９】
本発明は、上述の課題の少なくとも一部を解決するためになされたものであり、以下の形態又は適用例として実現することが可能である。
【００１０】
［適用例１］本適用例に係る眼鏡レンズ注文方法は、（ａ）眼鏡フレームの形状に合わせてレンズ基材を作成することと、（ｂ）眼鏡レンズの外観デザインを装用者に選択させることと、（ｃ）前記選択された外観デザインに基づき、前記レンズ基材に対して装飾層を形成することによって、試着レンズを作成することと、（ｄ）前記試着レンズを前記眼鏡フレームに装着することと、（ｅ）前記試着レンズが所望の外観デザインに適合していないと前記装用者に評価される場合に、前記眼鏡フレームから前記試着レンズを取り外すことと、（ｆ）（ｅ）の後、前記試着レンズに形成された前記装飾層を除去することと、（ｇ）前記試着レンズが前記所望の外観デザインに適合すると前記装用者に評価されるまで（ｂ）、（ｃ）、（ｄ）、（ｅ）、及び（ｆ）を繰り返し行うことと、（ｈ）前記試着レンズが前記所望の外観デザインに適合すると前記装用者に評価される場合に、前記選択された外観デザインの情報を含む前記眼鏡レンズの注文情報を送信することと、を含む。
【００１１】
本適用例によれば、例えば装用者が選択した眼鏡フレームの形状に合わせて、レンズ基材を作成する。そして、装用者に眼鏡レンズの外観デザインを選択させ、選択された外観デザインに基づき、作成したレンズ基材に対して装飾層を形成し、試着レンズを作成することができる。この試着レンズを上述した眼鏡フレームに装着することによって、装用者が自ら選択した外観デザインの試着レンズの試着を行い、自らの好みの外観デザインか否かを実際に確認することができる。
【００１２】
装用者が試着した結果、試着レンズが所望の外観デザインに適合していないと評価される場合には、眼鏡フレームから試着レンズを取り外し、形成した装飾層を試着レンズから除去する。そして、装飾層を除去した試着レンズ（レンズ基材）を再度用いて、外観デザインの選択、装飾層の形成、及び試着レンズの眼鏡フレームへの装着を、試着レンズが所望の外観デザインに適合すると評価されるまで繰り返すことができる。そして、所望の外観デザインに適合すると評価された外観デザインの情報に基づいて、眼鏡レンズの注文情報を送信することによって、実際に装用者が購入する眼鏡レンズを注文することができる。
【００１３】
このようにすることによって、装用者が試着により自らの好みの外観デザインであると確認できた後に、眼鏡レンズを注文することができる。その結果、納品された眼鏡レンズが装用者の想定していたレンズの外観デザインと異なるという不具合の発生を低減することができる。しかも、繰り返し試着する場合でもレンズ基材は再利用することができるため、試着に要するコストを低減することができる。
【００１４】
［適用例２］上記適用例に記載の眼鏡レンズ注文方法において、前記装飾層を形成することは、前記レンズ基材に対して、極性基を有する有機ポリマーを含む装飾液を塗布すること、を含んでいてもよい。
【００１５】
本適用例によれば、極性基を有する有機ポリマーを含む装飾液を塗布することによって、レンズ基材に装飾層を形成する。極性基を有する有機ポリマーを含む装飾液で形成された装飾層は、比較的簡単に除去することが可能であることが知られている。そのため、装用者が試着した結果、試着レンズが選択した外観デザインに適合していないと評価される場合には、装飾層を除去して再度新たな装飾層を形成することを容易に行うことが可能となる。
【００１６】
［適用例３］上記適用例に記載の眼鏡レンズ注文方法において、前記装飾液を塗布することは、インクジェット法によって前記装飾液を塗布することとしてもよい。
【００１７】
本適用例によれば、インクジェット法によって装飾液を塗布することで装飾層を形成する。インクジェット法は、レンズ基材に対して装飾液を選択的に塗布することが可能なため、多種多様な外観デザインを試着レンズに施すことができる。
【００１８】
［適用例４］上記適用例に記載の眼鏡レンズ注文方法において、前記レンズ基材を作成することは、前記装用者の処方に基づき選択される完成品レンズを用いて作成することとしてもよい。
【００１９】
本適用例によれば、装用者の処方に基づき選択される完成品レンズを用いてレンズ基材を作成する。試着レンズの作成にあたっては、例えば、装用者の処方に関係なく、ある決まった度数を有するレンズ基材を使用するという考え方もある。しかし、装用者が必要とする処方度数と、試着レンズの度数とが大きく異なる場合には、試着レンズが選択した外観デザインに適合しているか否かを装用者が自ら確認することが困難となる。
【００２０】
その点、本適用例に係る眼鏡レンズ注文方法では、装用者の処方に基づき選択される完成品レンズを用いてレンズ基材を作成するため、例えば、プラス度数を処方する必要がある装用者にはプラス度数のレンズ基材を、マイナス度数を処方する必要がある装用者にはマイナス度数のレンズ基材を用いて試着レンズを作成することができる。その結果、ある程度装用者に適した度数を有する試着レンズを用いて装用者が試着をすることができるため、選択した外観デザインに適合しているか否かを装用者が容易に自ら確認することができる。
【００２１】
［適用例５］上記適用例に記載の眼鏡レンズ注文方法において、前記外観デザインは、前記眼鏡レンズに付与するカラー、グラデーション、及び模様の少なくともいずれかであることが好ましい。
【００２２】
本適用例によれば、眼鏡レンズの外観デザインとしてカラー、グラデーション、及び模様の少なくともいずれかを付与することができ、装用者の多様なニーズに合わせた外観デザインを提供することができる。
【図面の簡単な説明】
【００２３】
【図１】実施形態に係る眼鏡レンズ注文システムのシステム構成図。
【図２】眼鏡レンズ注文システムを構成するＰＣのハードウェア構成図。
【図３】眼鏡販売店側で行う眼鏡レンズ注文方法のフローチャート。
【図４】眼鏡レンズの外観デザインの選択画面例。
【図５】レンズ加工業者側で行う眼鏡レンズ注文方法のフローチャート。
【発明を実施するための形態】
【００２４】
以下では、上述した本発明の内容を明確にするために、以下に示す順序に従って実施形態を説明する。
０．用語の説明
１．実施形態
１−１．眼鏡レンズ注文システムのシステム構成
１−１−１．眼鏡販売店側の構成
１−１−２．レンズ加工業者側の構成
１−２．眼鏡レンズ注文方法の手順
１−２−１．眼鏡販売店側の手順
１−２−２．レンズ加工業者側の手順
２．変形例
【００２５】
０．用語の説明
本実施形態を説明するにあたり、はじめに主要な用語の説明を行う。
【００２６】
眼鏡レンズの「物体側の面」とは、眼鏡レンズを構成する面のうち、眼鏡レンズを装用したときにおける視認対象物側の面を意味する。「物体側の面」は、「外面」とも言う。また、「視認対象物側」を「外側」とも言う。
【００２７】
眼鏡レンズの「眼球側の面」とは、眼鏡レンズを構成する面のうち、眼鏡レンズを装用したときにおける装用者の眼球側の面を意味する。「眼球側の面」は、「内面」とも言う。また、「眼球側」を「内側」とも言う。
【００２８】
眼鏡レンズの「鼻側」とは、眼鏡レンズを装用したときの水平方向において、装用者の鼻に近い側を意味する。
【００２９】
眼鏡レンズの「耳側」とは、眼鏡レンズを装用したときの水平方向において、装用者の耳に近い側を意味する。
【００３０】
眼鏡レンズの「頭頂側」とは、眼鏡レンズを装用したときの鉛直方向において、装用者の頭頂に近い側を意味する。
【００３１】
眼鏡レンズの「顎側」とは、眼鏡レンズを装用したときの鉛直方向において、装用者の顎に近い側を意味する。
【００３２】
「半完成品レンズ」とは、眼鏡レンズを構成する物体側の面及び眼球側の面のうち、一方の面が完成しており、他方の面を注文に応じて加工することによって完成品レンズを作成することができるレンズを意味する。「半完成品レンズ」は「セミフィニッシュレンズ」とも言う。
【００３３】
「完成品レンズ」とは、眼鏡レンズを構成する物体側の面及び眼球側の面の両方が完成した、注文に応じた光学性能を有するレンズを意味する。本明細書における完成品レンズは、眼鏡フレームの形状に応じた加工がされる前のレンズである。「完成品レンズ」は「フィニッシュトレンズ」とも言う。
【００３４】
眼鏡レンズの「外観デザイン」とは、眼鏡レンズの面に形成される模様、色彩、及びグラデーション、並びにこれらの組合せを意味する。
【００３５】
１．実施形態
１−１．眼鏡レンズ注文システムのシステム構成
図１は、本実施形態に係る眼鏡レンズ注文方法を実現する眼鏡レンズ注文システム１０のシステム構成図である。本実施形態に係る眼鏡レンズ注文システム１０は、大まかには眼鏡販売店１００側の構成と、レンズ加工業者１２０側の構成と、に分けることができる。
【００３６】
１−１−１．眼鏡販売店側の構成
眼鏡販売店１００側の構成について説明する。眼鏡販売店１００には、第１レンズ加工機１０２と、ＰＣ１０４と、第１レンズ印刷装置１０６と、が設置される。
【００３７】
第１レンズ加工機１０２は、眼鏡販売店１００がストックしている完成品レンズのうち、一の完成品レンズを眼鏡フレームの３次元形状に合わせて加工し、試着用レンズ基材（レンズ基材）を作成する。
【００３８】
ＰＣ１０４は、いわゆるパーソナルコンピューターであり、注文する眼鏡レンズの外観デザインを選択する際に使用する。また、ＰＣ１０４はレンズ加工業者１２０に設置される受注サーバー１２２と通信可能に接続され、眼鏡レンズの注文データを受注サーバー１２２に送信する。注文データには少なくとも、ユーザー（装用者）に処方すべき処方度数に関するデータ、レンズの外観デザインに関するデータ、及び眼鏡フレームの３次元形状に関するデータが含まれる。
【００３９】
図２は、眼鏡レンズ注文システム１０を構成するＰＣ１０４のハードウェア構成図である。ＰＣ１０４は、本体２００と、表示装置２０２と、入力装置２０４と、を含む。本体２００は、さらに演算処理部２０６、記憶部２０８、及び通信部２１０を含む。
【００４０】
演算処理部２０６は、ＰＣ１０４を構成する各機器を統括制御する。また、記憶部２０８に記憶された各種プログラムを読み出し、実行する。演算処理部２０６は例えばＣＰＵ（Central Processing Unit）である。
【００４１】
記憶部２０８は、各種データ、各種プログラムを記憶する。記憶部２０８に記憶されるデータとしては、眼鏡販売店１００の店頭で販売している眼鏡フレームの３次元形状に関するフレーム形状データベース２１２や、眼鏡販売店１００が在庫としてストックしている完成品レンズに関するレンズ在庫データベース２１４がある。また、記憶部２０８に記憶されるプログラムとしては、ユーザーに眼鏡レンズの外観デザインを選択させるための外観デザイン選択プログラム２１６や、第１レンズ印刷装置１０６の駆動制御ドライバーである第１レンズ印刷装置制御プログラム２１８がある。記憶部２０８は例えば、ＲＡＭ（Random Access Memory）やＲＯＭ（Read Only Memory）で構成することができる。
【００４２】
通信部２１０は、レンズ加工業者１２０に設置される受注サーバー１２２とのネットワーク接続のインターフェイスである。
【００４３】
表示装置２０２は、演算処理部２０６の演算処理結果を表示し、また、入力装置２０４からの入力を受け付けるための画面インターフェイスを表示する。表示装置２０２は例えば、液晶ディスプレイである。
【００４４】
入力装置２０４は、演算処理部２０６に各種命令及び各種データを入力する際に使用するユーザーインターフェイスである。入力装置２０４は例えば、キーボードやマウスで構成することができる。入力装置２０４は表示装置２０２と一体となったタッチパネル型のディスプレイで実現してもよい。
【００４５】
図１の説明に戻る。第１レンズ印刷装置１０６は、ＰＣ１０４を用いてユーザーが選択したレンズの外観デザインに基づき、第１レンズ加工機１０２で作成した試着用レンズ基材に対して装飾層を形成する。装飾層はいわゆる印刷の三原色（シアン、マゼンタ、イエロー）の記録材の混合によってレンズに外観デザインを印刷する層である。印刷に使用する記録材として、シアン、マゼンタ、イエローに加えてブラック、クリア（透明色）、ライトシアン、ライトマゼンタ、メタリック等を使用してもよい。
【００４６】
詳細は後述するが、本実施形態に係る眼鏡レンズ注文方法では、形成した装飾層を除去した後、異なる外観デザインに基づいて再度装飾層を形成することがある。そのため、第１レンズ印刷装置１０６で形成される装飾層は、アルコールや有機溶媒等を含浸させた不織布を用いて拭き取ることによって簡単に除去可能であることが好ましい。
【００４７】
具体的には第１レンズ印刷装置１０６は、記録材として有機ポリマーを含む装飾液を塗布する装置であることが好ましい。有機ポリマーは、極性基を有するものが好ましい。極性基を有する有機ポリマーを含む装飾液で形成された装飾層は、比較的簡単に除去することが可能であることが知られている。これにより、装飾層を除去して再度新たな装飾層を形成することを容易に行うことが可能となる。
【００４８】
極性基を有する有機ポリマーとしては、ポリエステル樹脂、ポリウレタン樹脂、エポキシ樹脂、メラミン樹脂、ポリオレフィン樹脂、ウレタンアクリレート樹脂、エポキシアクリレート樹脂等の各種樹脂を使用することができる。
【００４９】
クリア以外のカラーを有する装飾層を形成する場合には、有機ポリマーに加えて着色材料を含む装飾液を使用することができる。着色材料としては、顔料の分散系又は染料を適当な溶媒（水、アルコールその他の有機溶媒）に分散させたものが好ましい。
【００５０】
また、第１レンズ印刷装置１０６は、インクジェット法によって装飾液を塗布するインクジェット印刷装置であることが好ましい。第１レンズ印刷装置１０６がインクジェット印刷装置であれば、試着用レンズ基材に対して装飾液を選択的に塗布することが可能となる。したがって、複雑な模様やグラデーションといった多種多様な外観デザインを容易に実現することができる。
【００５１】
インクジェット法によって装飾液を塗布する場合には、染料としては、直接染料、酸性染料、食用染料、塩基性染料、反応性染料、分散染料、建染染料、可溶性建染染料、反応性分散染料等、通常のインクジェット方式に用いられる各種の染料を使用することができる。例えば、ニトロソ染料、ニトロ染料、アゾ染料、スチルベンアゾ染料、ケトイミン染料、トリフェニルメタン染料、キサンテン染料、アクリジン染料、キノリン染料、メチン染料、ポリメチン染料、チアゾール染料、インダミン染料、インドフェノール染料、アジン染料、オキサジン染料、チアジン染料、硫化染料、アミノケトン染料、オキシケトン染料、アントラキノン染料、インジゴイド染料、又はフタロシアニン染料が挙げられる。
【００５２】
顔料としては、ファーネスブラック、ランプブラック、アセチレンブラック、チャネルブラック等のカーボンブラック（Ｃ．Ｉ．ピグメントブラック７）類、酸化鉄、酸化チタン等を使用することができる。有機顔料として、不溶性アゾ染料、縮合アゾ染料、アゾレーキ、キレートアゾ染料等のアゾ顔料、フタロシアニン顔料、ペリレン顔料、ペリノン顔料、アントラキノン顔料、キナクリドン顔料、ジオキサン顔料、チオインジゴ顔料、イソインドリノン顔料、キノフタロン顔料等の多環式顔料、ニトロ顔料、ニトロソ顔料、アニリンブラック、昼光蛍光顔料等を用いてもよい。染料及び顔料は、１種類を単独で用いても、２種類以上を混合してもよく、染料と顔料とを混合して用いてもよい。
【００５３】
１−１−２．レンズ加工業者側の構成
次に、眼鏡レンズ注文システム１０のレンズ加工業者１２０側の構成について説明する。レンズ加工業者１２０には、受注サーバー１２２と、第２レンズ加工機１２４と、第２レンズ印刷装置１２６と、コーティング装置１２８と、が設置される。
【００５４】
受注サーバー１２２は、いわゆるネットワークサーバーであり、ＰＣ１０４から送信される眼鏡レンズの注文データを受信する。受注サーバー１２２のハードウェア構成はＰＣ１０４と同様に、本体（演算処理部、記憶部、及び通信部を含む）、入力装置、及び表示装置を含む構成であるため詳細は説明を省略する。なお、説明を簡略化するために図１には眼鏡販売店１００を１つしか図示していないが、受注サーバー１２２が複数の眼鏡販売店１００に設置されるＰＣ１０４と通信可能に接続されていてもよい。
【００５５】
第２レンズ加工機１２４は、受注サーバー１２２が受信した注文データに含まれる処方度数に関するデータに基づいて、レンズ加工業者１２０がストックしている半完成品レンズの中から、一の半完成品レンズを選択し、処方度数に合わせて半完成品レンズの面を切削・研磨する。また、第２レンズ加工機１２４は、受注サーバー１２２が受信した注文データに含まれる眼鏡フレームの３次元形状に関するデータに基づいて、切削・研磨したレンズを眼鏡フレームの形状に合わせて加工する機構を有していてもよい。第２レンズ加工機１２４は単一の装置として構成してもよいし、処方度数に合わせて切削・研磨する装置と、眼鏡フレームの形状に合わせて加工する装置とを別体として構成してもよい。
【００５６】
第２レンズ印刷装置１２６は、受注サーバー１２２が受信した注文データに含まれるレンズの外観デザインに関するデータに基づいて、第２レンズ加工機１２４によって加工された完成品レンズに対して装飾層を形成する。第２レンズ印刷装置１２６と第１レンズ印刷装置１０６とは同じ構成であっても異なる構成であってもよい。
【００５７】
第２レンズ印刷装置１２６によって装飾層が形成される完成品レンズは最終的にユーザーが使用する完成品（製品）の眼鏡レンズとなるため、第２レンズ印刷装置１２６が形成する装飾層は除去可能なものでなくてもよい。なお、眼鏡の使用によって装飾層が劣化したり剥がれたりすることを抑制するためには、完成品の眼鏡レンズにおいては、装飾層は後述するコート層で覆われていることが好ましい。また、詳細は後述するが、第１レンズ印刷装置１０６を用いて装飾層が形成された試着用のレンズに基づいて、ユーザーが所望の外観デザインに適合するか否かを判断し、所望の外観デザインに適合すると判断された外観デザインに関するデータが注文データとして受注サーバー１２２に送信されるため、第１レンズ印刷装置１０６と第２レンズ印刷装置１２６とが同等の出力特性を有することが好ましい。具体的には、第１レンズ印刷装置１０６が出力する色と第２レンズ印刷装置１２６が出力する色との色差が所定の値以内に収まっていることが好ましい。
【００５８】
また、第２レンズ印刷装置１２６によって形成される装飾層は、後述するコート層と完成品レンズとの密着性を向上させる接着層（プライマー層）を兼ねていてもよい。
【００５９】
コーティング装置１２８は、装飾層が形成された完成品レンズに各種の機能性コートを成膜する装置である。機能性コートとしては、ハードコート層、反射防止層、帯電防止層、防汚層、及び防曇層等がある。成膜する方法としては、インクジェット法、スプレーコート法、スピンコート法、ディップコート法、及び真空蒸着法等、各種の方法及びこれらの方法の組合せを採用することができる。コーティング装置１２８は単一の装置として構成してもよいし、成膜する方法によってインクジェット塗布装置、スプレーコート装置、スピンコート装置、ディップコート装置、及び真空蒸着装置等、別体の装置として構成してもよい。
【００６０】
１−２．眼鏡レンズ注文方法の手順
１−２−１．眼鏡販売店側の手順
図３は、眼鏡販売店１００側で行う眼鏡レンズ注文方法のフローチャートである。眼鏡販売店１００では、まず、眼鏡を購入するユーザーの処方測定を行う（ステップＳ３００）。処方測定によってユーザーに処方すべき処方度数（矯正度数）を決定する。処方度数は、一般には球面度数（Ｓ）、乱視度数（Ｃ）、及び乱視の方向（ＡＸ）を数値化して表現される。注文するレンズが遠近両用レンズや累進屈折力レンズの場合は、遠用部及び近用部それぞれについてＳ，Ｃ，ＡＸを求める。
【００６１】
次に、注文するレンズを装着する眼鏡フレームをユーザーが選択する（ステップＳ３０２）。眼鏡フレームは、眼鏡販売店１００の店頭に展示されているものの中から、ユーザーが好みの眼鏡フレームを選択することによって行う。
【００６２】
次に、眼鏡販売店１００では、試着に用いる完成品レンズを選択する（ステップＳ３０４）。完成品レンズの選択においては、測定した処方度数に関係なく一律に同じ完成品レンズを選択することとしてよいが、処方度数に基づいて完成品レンズを選択することとするのが好ましい。測定した処方度数に基づいて完成品レンズを選択することとすれば、試着に用いるレンズの形状が最終的に注文するレンズの形状と近くなり、実際の装用イメージに近い形で試着を行うことができる。さらに、処方度数に近い度数の試着用のレンズを用いて試着を行うことができるため、試着の結果の良し悪しをユーザーが自ら確認しやすくなる。
【００６３】
また、測定した処方度数の完成品レンズの在庫が眼鏡販売店１００に存在しない場合には、在庫がある完成品レンズのうち、処方度数に近い処方度数範囲を有する完成品レンズを選択することとしてもよい。眼鏡販売店１００の在庫状況は、ＰＣ１０４の記憶部２０８に記憶されているレンズ在庫データベース２１４を参照することによって把握することができる。
【００６４】
次に、選択した完成品レンズを用いて試着用レンズ基材を作成する（ステップＳ３０６）。具体的には、ステップＳ３０４で選択した完成品レンズを第１レンズ加工機１０２の所定位置に載置する。次に、ＰＣ１０４の記憶部２０８に記憶されているフレーム形状データベース２１２から、ステップＳ３０２で選択された眼鏡フレームのフレーム形状データを読み出し、読み出したフレーム形状データを第１レンズ加工機１０２に入力する。そして、第１レンズ加工機１０２では、入力されたフレーム形状データを参照して、載置した完成品レンズをフレーム形状に合わせて切削加工する。試着用レンズ基材は右眼用、左眼用の２枚作成する。
【００６５】
次に、ＰＣ１０４を用いて、注文する眼鏡レンズの外観デザインを選択する（ステップＳ３０８）。具体的には、演算処理部２０６が、ＰＣ１０４の記憶部２０８に記憶されている外観デザイン選択プログラム２１６を読み出して実行する。外観デザイン選択プログラム２１６が実行されると、表示装置２０２に外観デザインの選択を促す画面が表示される。そして、表示装置２０２を見ながらユーザー、あるいは眼鏡販売店１００の店員が入力装置２０４を操作して、所望の外観デザインを選択する。
【００６６】
図４は、眼鏡レンズの外観デザインの選択画面例である。図４（Ａ）、図４（Ｂ）、及び図４（Ｃ）は、演算処理部２０６が外観デザイン選択プログラム２１６を実行した際に、表示装置２０２に表示される画面の例である。外観デザイン選択プログラム２１６が実行されると表示装置２０２には、外観デザイン確認領域４００、設定項目選択領域４０２、及び外観デザイン選択領域４０４の３つの領域が表示される。
【００６７】
外観デザイン確認領域４００は、表示装置２０２の画面上で選択された外観デザインの確認のために表示される領域である。外観デザイン確認領域４００には、選択された外観デザインに応じて更新される眼鏡レンズ画像４１０が表示される。図４（Ａ）、図４（Ｂ）、及び図４（Ｃ）では、眼鏡レンズ画像４１０を１つ（右眼用）しか表示していないが、左眼用と右眼用との２つの眼鏡レンズ画像を表示するようにしてもよい。
【００６８】
設定項目選択領域４０２は、外観デザインの設定項目を選択する選択ボタンが配置されている領域である。図４（Ａ）、図４（Ｂ）、及び図４（Ｃ）では、模様を選択する際に押下される模様選択ボタン４２０、カラーを選択する際に押下されるカラー選択ボタン４２２、及びグラデーションを設定する際に押下されるグラデーションボタン４２４が配置されている。
【００６９】
外観デザイン選択領域４０４は、選択された設定項目に係る外観デザインの選択又は設定のために表示される領域である。演算処理部２０６は設定項目選択領域４０２に配置されている選択ボタンの押下を検知すると外観デザイン選択領域４０４の表示を更新する。
【００７０】
図４（Ａ）は、模様選択ボタン４２０が押下されたときに、表示装置２０２に表示される画面の例である。模様選択ボタン４２０が押下されると、外観デザイン選択領域４０４には、異なる複数の模様画像が並べて表示され、入力装置２０４の操作に応じて画面上を動く模様選択カーソル４３６によって模様画像が選択可能となる。図４（Ａ）には模様画像（Ａ）４３０、模様画像（Ｂ）４３２、及び模様画像（Ｃ）４３４が表示されている。模様画像（Ａ）４３０は、眼鏡レンズの全体に選択されたカラーを付与する模様を表している。模様画像（Ｂ）４３２は、眼鏡レンズの鼻側の領域を無色とし、眼鏡レンズの耳側の領域に選択されたカラーを付与する模様を表している。模様画像（Ｃ）４３４は、眼鏡レンズの顎側の領域を無色とし、眼鏡レンズの頭頂側の領域に選択されたカラーを付与する模様を表している。スクロールボタン４３８を押下すると、外観デザイン選択領域４０４に表示されていなかった異なる模様画像が新たに表示され、新たに表示された模様画像が模様選択カーソル４３６によって選択可能となる。このようにして多種多様な模様画像の中から所望の模様画像を選択することができる。
【００７１】
外観デザイン確認領域４００に表示されている眼鏡レンズ画像４１０には、模様選択カーソル４３６によって選択される模様画像が付与されるようになっている。具体的には、図４（Ａ）では、模様画像（Ａ）４３０が選択されているため、模様画像（Ａ）４３０が付与された眼鏡レンズ画像４１０が表示されている。
【００７２】
図４（Ｂ）は、図４（Ａ）の状態から、カラー選択ボタン４２２が押下されたときに、表示装置２０２に表示される画面の例である。カラー選択ボタン４２２が押下されると、外観デザイン選択領域４０４には、異なる複数のカラーパッチ画像が並べて表示され、入力装置２０４の操作に応じて画面上を動くカラー選択カーソル４４５によってカラーパッチ画像が選択可能となる。図４（Ｂ）にはカラーパッチ画像（Ａ）４４０、カラーパッチ画像（Ｂ）４４１、カラーパッチ画像（Ｃ）４４２、カラーパッチ画像（Ｄ）４４３、及びカラーパッチ画像（Ｅ）４４４が表示されている。スクロールボタン４４６を押下すると、外観デザイン選択領域４０４に表示されていなかった異なるカラーパッチ画像が新たに表示され、新たに表示されたカラーパッチ画像がカラー選択カーソル４４５によって選択可能となる。このようにして多種多様なカラーの中から所望のカラーを選択することができる。
【００７３】
外観デザイン確認領域４００に表示されている眼鏡レンズ画像４１０には、カラー選択カーソル４４５によって選択されるカラーが付与されるようになっている。具体的には、図４（Ｂ）では、カラーパッチ画像（Ｃ）４４２が選択されているため、カラーパッチ画像（Ｃ）４４２が表すカラーが付与された眼鏡レンズ画像４１０が表示されている。図４（Ａ）において模様画像（Ａ）４３０を選択後、図４（Ｂ）においてカラーパッチ画像（Ｃ）４４２を選択しているため、眼鏡レンズの全体にカラーが付与されている。
【００７４】
図４（Ｃ）は、図４（Ｂ）の状態から、グラデーションボタン４２４が押下されたときに、表示装置２０２に表示される画面の例である。グラデーションボタン４２４が押下されると、外観デザイン選択領域４０４には、グラデーションの開始位置を設定するスライドバー４５０が表示される。入力装置２０４の操作に応じて画面水平方向を動くつまみ４５２によってグラデーションの開始位置を設定することができる。本実施形態では、グラデーションの開始位置として眼鏡レンズを装用したときの鉛直方向の座標をスライドバー４５０で指定することができる。具体的には、スライドバー４５０の左端（眼鏡レンズの頭頂側端部を意味する）からスライドバー４５０の右端（眼鏡レンズの顎側端部を意味する）の間の任意の位置をつまみ４５２で設定する。
【００７５】
グラデーションの方向は眼鏡レンズの頭頂側から顎側に向かう鉛直方向である。グラデーションの色の変化は、図４（Ｂ）で選択したカラーを開始色として、無色（透明）を終了色としている。外観デザイン確認領域４００に表示されている眼鏡レンズ画像４１０には、スライドバー４５０で指定されたグラデーションが付与されるようになっている。図４（Ｃ）では、つまみ４５２がスライドバー４５０の中央よりやや右側に位置しているため、眼鏡レンズ画像４１０には、眼鏡レンズを装用したときの鉛直方向中央よりやや顎側からグラデーションが開始している様子を表している。
【００７６】
図３の説明に戻る。ステップＳ３０８で外観デザインが選択されると、次に第１レンズ印刷装置１０６を用いて装飾層を形成する（ステップＳ３１０）。具体的には、ステップＳ３０６で作成した試着用レンズ基材を第１レンズ印刷装置１０６の所定の位置にセットし、ＰＣ１０４から第１レンズ印刷装置１０６に対して印刷命令を発行する。印刷命令が発行されると、演算処理部２０６が第１レンズ印刷装置制御プログラム２１８を記憶部２０８から読み出して実行し、ステップＳ３０８で選択された外観デザインを表す画像データの色変換、二値化を行い、印刷内容が記述された印刷記述言語を生成する。そして、第１レンズ印刷装置制御プログラム２１８が生成された印刷記述言語を第１レンズ印刷装置１０６に送信すると、第１レンズ印刷装置１０６が動作を開始して、印刷記述言語に従って各色の記録材を試着用レンズ基材に塗布し、試着用レンズ基材に装飾層を形成する。ステップＳ３１０の処理は右眼用、左眼用、及びそれぞれの試着用レンズ基材に対して行う。以下、装飾層が形成された試着用レンズ基材を「試着レンズ」と呼称する。
【００７７】
試着レンズはあくまでも試着用のレンズであって最終的にユーザーに納品する完成品レンズではないため、ハードコート層、反射防止層、及び防汚層等は付加しない。これにより、装飾層をできるだけ簡便に除去可能として試着用レンズ基材を再利用しやすくすることができる。
【００７８】
次に、眼鏡販売店１００の店員である眼鏡技術者が、試着レンズをステップＳ３０２で選択された眼鏡フレームに装着する（ステップＳ３１２）。いわゆる「枠入れ」である。枠入れ作業が終われば試着用の眼鏡が完成する。
【００７９】
次に、試着用の眼鏡を実際にユーザーに試着してもらい、試着レンズがユーザーの好みの外観デザインに適合するか否かをユーザー自身に評価してもらう（ステップＳ３１４）。ユーザーの好みの外観デザインに適合するか否かを、ユーザーに実際に試着してもらった上で評価してもらう点が本実施形態の特徴である。
【００８０】
ステップＳ３１４において、ユーザーが試着した結果、試着レンズが外観デザインに適合しないと評価される場合（ステップＳ３１４：Ｎｏ）には、異なる外観デザインによる試着を行うために、眼鏡技術者が試着レンズを眼鏡フレームから取り外す（ステップＳ３１６）。
【００８１】
ステップＳ３１６の後、試着レンズに形成されていた装飾層を除去する（ステップＳ３１８）。具体的には、アルコールや有機溶媒等を含浸させた不織布を用いて試着レンズを拭き取ることによって装飾層を除去する。試着レンズを拭き取る作業は眼鏡販売店１００の店員が行ってもよいし、不織布を用いて試着レンズを拭き取る機構を備える専用の装飾層除去装置を用いて行ってもよい。
【００８２】
ステップＳ３１８の後、ステップＳ３０８に戻り、外観デザインの選択を再度行う。ここでの外観デザインの選択は、例えば、試着の結果、ユーザーの好みに適合しなかった設定項目を中心に外観デザインを見直す。
【００８３】
ステップＳ３０８において外観デザインの見直しが終了すると、装飾層が除去された試着用レンズ基材に対して、新たに選択された外観デザインを表す画像データを用いて装飾層を形成して試着レンズを作成し（ステップＳ３１０）、試着レンズを眼鏡フレームに装着する（ステップＳ３１２）。
【００８４】
ここで、試着用レンズ基材を再利用する点が本実施形態の特徴である。本実施形態では、試着用レンズ基材から装飾層を除去することができるため、試着用レンズ基材を改めて作成する必要がなく、試着に要するコストを低減することができる。
【００８５】
そして、再びステップＳ３１４に移行して、試着用の眼鏡を実際にユーザーに試着してもらい、試着レンズが所望する外観デザインに適合するか否かをユーザーに評価してもらう。
【００８６】
このように、ステップＳ３１４において、試着レンズがユーザーの好みの外観デザインに適合すると評価されるまで、外観デザインの選択（ステップＳ３０８）、装飾層の形成（ステップＳ３１０）、試着レンズの眼鏡フレームへの装着（ステップＳ３１２）、試着レンズの眼鏡フレームからの取り外し（ステップＳ３１６）、及び装飾層の除去（ステップＳ３１８）を繰り返す。
【００８７】
一方、ステップＳ３１４において、ユーザーが試着した結果、試着レンズがユーザーの好みの外観デザインに適合すると評価される場合（ステップＳ３１４：Ｙｅｓ）には、注文データをＰＣ１０４の通信部２１０を介して、レンズ加工業者１２０の受注サーバー１２２に送信する（ステップＳ３２０）。注文データには、当該外観デザインの情報、具体的には外観デザインを表す画像データ、ユーザーに処方すべき処方度数に関するデータ、及び眼鏡フレームの３次元形状に関するデータが少なくとも含まれる。
【００８８】
１−２−２．レンズ加工業者側の手順
図５は、レンズ加工業者１２０側で行う眼鏡レンズ注文方法のフローチャートである。レンズ加工業者１２０では、まず、受注サーバー１２２が、眼鏡販売店１００から送信される注文データを受信する（ステップＳ５００）。
【００８９】
次に、レンズ加工業者１２０では、完成品レンズを作成する際に使用する半完成品レンズを選択する（ステップＳ５０２）。一般に、半完成品レンズは一定の処方度数範囲について同じ形状の半完成品レンズを使用する。そのため、半完成品レンズの選択においては、注文データに含まれる処方度数に関するデータを参照して、注文データの処方度数を処方度数範囲内に含む半完成品レンズを選択すればよい。
【００９０】
次に、注文データの処方度数に合わせて、選択した半完成品レンズを切削・研磨する（ステップＳ５０４）。具体的には、第２レンズ加工機１２４を用いて、注文データの処方度数に合わせて半完成品レンズを切削・研磨する。なお、ステップＳ５０４の段階では、切削・研磨によって得られた完成品レンズを眼鏡フレームの形状に合わせて加工はしない。
【００９１】
次に、第２レンズ印刷装置１２６を用いて、ステップＳ５０４で切削・研磨された完成品レンズに装飾層を形成する（ステップＳ５０６）。具体的には、ステップＳ５０４で得られた完成品レンズを第２レンズ印刷装置１２６の所定の位置にセットし、受注サーバー１２２から第２レンズ印刷装置１２６に対して印刷命令を発行する。印刷命令が発行されると、受注サーバー１２２の不図示の記憶部に記憶された第２レンズ印刷装置制御プログラムが起動し、注文データに含まれる外観デザインを表す画像データの色変換、二値化を行い、印刷内容が記述された印刷記述言語を生成する。そして、第２レンズ印刷装置制御プログラムが生成された印刷記述言語を第２レンズ印刷装置１２６に送信すると、第２レンズ印刷装置１２６が動作を開始して、印刷記述言語に従って各色の記録材をステップＳ５０４で切削・研磨した完成品レンズに塗布し、完成品レンズに装飾層を形成する。ステップＳ５０６の処理は右眼用、左眼用、及びそれぞれの完成品レンズに対して行う。
【００９２】
次に、コーティング装置１２８を用いて、ステップＳ５０６で装飾層が形成された完成品レンズにコート層を形成する（ステップＳ５０８）。コート層として、例えば、ハードコート層、反射防止層、帯電防止層、防汚層、又は防曇層を形成することができる。注文データに形成するコート層に関するデータを含むようにして、注文データに応じて形成するコート層を選択するようにしてもよい。
【００９３】
次に、第２レンズ加工機１２４を用いて、コート層が形成された完成品レンズを眼鏡フレームの形状に合わせて加工する（ステップＳ５１０）。いわゆる玉型加工である。具体的には、第２レンズ加工機１２４が、注文データに含まれる眼鏡フレームの３次元形状に関するデータを参照して、コート層が形成された完成品レンズを加工し、製品レンズを作成する。
【００９４】
最後に、レンズ加工業者１２０が、製品レンズを眼鏡販売店１００に送品し（ステップＳ５１２）、ユーザーに納品する。
【００９５】
このようにすることによって、ユーザーが試着により自らの好みの外観デザインであると確認できた後に、眼鏡レンズを注文することができる。その結果、納品された眼鏡レンズがユーザーの想定していたレンズの外観デザインと異なるという不具合の発生を低減することができる。
【００９６】
したがって、眼鏡販売店１００にとっては、上記の不具合に起因するユーザーの顧客満足度の低下を抑制することができる。
【００９７】
レンズ加工業者１２０にとっては、上記の不具合に起因する眼鏡レンズの再注文の労力とコストとを低減することができる。
【００９８】
一方、ユーザーにとっては、上記の不具合に起因して発生する眼鏡レンズの納品遅れが低減し、注文した眼鏡レンズを長期間待つことなく使用することができる。
【００９９】
２．変形例
本発明は上述した実施形態に限られるものではなく、その要旨を逸脱しない範囲において種々の態様において実施することが可能である。例えば次のような変形も可能である。なお、変形例の説明にあたっては、上述した実施形態と同一の構成については同一の符号を付し、その説明を省略する。
【０１００】
２．１．グラデーションの指定
上記実施形態においては、レンズの外観デザインの設定項目であるグラデーションの方向は鉛直方向としたが、これに限らず、グラデーションの方向を任意の方向に設定可能としてもよい。また、上記実施形態においては、グラデーションは選択されたカラーから無色に向かうグラデーションとしたが、これに限らず複数色を遷移するグラデーションを指定可能としてもよい。
【０１０１】
２．２．右眼用レンズ、左眼用レンズの外観デザイン
上記実施形態においては、右眼用のレンズ、左眼用のレンズの外観デザインは同一、あるいは左右対称の例としたが、これに限らず、右眼用のレンズと左眼用のレンズとで異なる外観デザインを設定可能としてもよい。
【０１０２】
２．３．外観デザイン確認領域の表示
上記実施形態においては、外観デザイン確認領域４００には眼鏡レンズ画像４１０が表示されたが、ユーザーが選択した眼鏡フレームの画像と眼鏡レンズ画像４１０とを組み合わせた眼鏡の画像が表示されてもよい。
【０１０３】
例えば、ユーザーが選択した眼鏡フレームのバーコードを読み込み、対応するフレームのデータをフレーム形状データベース２１２から読み込んで外観デザイン確認領域４００に表示する。フレーム形状データは、フレームのカラーや模様に関するデータを含んでいてもよい。
【０１０４】
このようにすれば、眼鏡としての外観を確認することができるので、より所望の外観に近いフレームのデザインとレンズの外観デザインとの組合せをユーザーが選択しやすくなる。したがって、試着レンズの作成や試着に要する時間と労力とを軽減することができる。
【０１０５】
２．４．機能の分離
上記実施形態においては、ＰＣ１０４によって外観デザインを選択する機能と、注文データを受注サーバー１２２に送信する機能とを実現したが、これに限らず、外観デザインを選択する機能と、注文データを送信する機能とを別々のコンピューターを用いて実現してもよい。
【０１０６】
２．５．眼鏡販売店とレンズ加工業者との役割分担
上記実施形態においては、レンズ加工業者１２０で眼鏡フレームの形状に合わせて完成品レンズを加工した製品レンズを眼鏡販売店１００に送品する構成としたが、これに限らず、レンズ加工業者１２０では、処方に合わせて切削・研磨、装飾層の形成、及びコート層の形成をした完成品レンズを眼鏡販売店１００に送品し、眼鏡販売店１００で眼鏡フレームの形状に合わせて完成品レンズの加工を行うようにしてもよい。
【０１０７】
このようにすれば、眼鏡販売店１００において最終的な微調整を目的とする加工を行いやすくなる。また、注文データに眼鏡フレームの３次元形状に関するデータを含める必要がなくなる。
【０１０８】
２．６．試着用眼鏡フレーム
上記実施形態においては、ユーザーが選択した眼鏡フレームの形状に合わせて試着用レンズ基材を作成する構成としたが、これに限らず、予め試着用の眼鏡フレームを定めておいてもよい。
【０１０９】
このようにすれば、眼鏡フレームの形状に合わせて試着用レンズ基材を個々に作成する必要がなくなる。すなわち、試着用の眼鏡フレームの形状に合わせて予め試着用レンズ基材を用意しておくことができるため、試着用レンズ基材を作成する労力とコストとを省くことができる。
【０１１０】
また、試着用の眼鏡フレームを予め定めておけば、試着用レンズ基材の形状がユーザーの選択によって変動することがないため、異なるユーザーに対しても共通の試着用レンズ基材を使用することが可能となり、試着に要する費用を一層軽減することができる。
【０１１１】
２．７．カラーマネージメント
上記実施形態においては、第１レンズ印刷装置１０６と第２レンズ印刷装置１２６とが同等の出力特性を有することが好ましいとしたが、具体的な実現手段として公知のカラーマネージメント技術を採用してもよい。
【０１１２】
例えば、外観デザインを表す画像データにＩＣＣプロファイルを埋め込んでおく。そして、第１レンズ印刷装置１０６で装飾層を形成する際には、画像データに埋め込まれているＩＣＣプロファイルに従って、外観デザインを表す画像データのＲＧＢ色空間を機器に依存しない色空間（例えば、ＣＩＥＬＡＢ）に変換する。その後、第１レンズ印刷装置１０６に割り当てられているＩＣＣプロファイル（デバイスプロファイル）に従って、ＣＩＥＬＡＢ色空間からＣＭＹＫ色空間に変換する。
【０１１３】
一方、第２レンズ印刷装置１２６で装飾層を形成する際には、注文データに含まれる外観デザインを表す画像データに埋め込まれたＩＣＣプロファイルを読み出し、外観デザインを表す画像データのＲＧＢ色空間を、同様にＣＩＥＬＡＢ色空間に変換する。その後、第２レンズ印刷装置１２６に割り当てられているＩＣＣプロファイル（デバイスプロファイル）に従って、ＣＩＥＬＡＢ色空間からＣＭＹＫ色空間に変換する。
【０１１４】
このようにすれば、機器に依存しない色空間を介して色変換を行うことができるため、第１レンズ印刷装置１０６と第２レンズ印刷装置１２６とで出力されるカラーの色差を所定の範囲内に抑えることができる。
【０１１５】
２．８．第１レンズ加工機
上記実施形態においては、第１レンズ加工機１０２は、完成品レンズを眼鏡フレームの形状に合わせて加工する構成としたが、第１レンズ加工機１０２はさらに、処方度数に合わせて半完成品レンズを切削・研磨する機構を有していてもよい。
【０１１６】
第１レンズ加工機１０２を用いて完成品レンズを作成する場合には、眼鏡販売店１００ではステップＳ３０４において半完成品レンズを選択し、ステップＳ３０６において半完成品レンズの切削・研磨と完成品レンズの加工とを行う。半完成品レンズの選択においては、測定した処方度数を処方度数範囲内に含む半完成品レンズを選択することが好ましい。試着に用いるレンズの形状が最終的に注文するレンズの形状と近くなるので、実際の装用イメージに近い形で試着を行うことができる。さらに、処方度数に近い度数の試着レンズを用いて試着を行うことができるため、試着の結果の良し悪しをユーザーが自ら確認しやすくなる。
【０１１７】
２．９．試着用レンズ基材
上記実施形態及び変形例２．８．においては、処方度数に基づいて完成品レンズ又は半完成品レンズを選択することとしたが、処方度数に関係なく一律に同じ完成品レンズを使用して試着用レンズ基材を作成してもよい。
【０１１８】
このようにすれば、処方度数に合せて試着用レンズ基材を個々に作成する必要がなくなるので、異なるユーザーに対しても共通の試着用レンズ基材を使用することが可能となり、試着に要する費用を一層軽減することができる。
【０１１９】
一律の完成品レンズを使用する場合は、視力の異なるユーザーに対応するために、弱度又はプラノのレンズを使用することが好ましい。また、数段階の度数のレンズを用意してもよい。例えば、プラスの強度、プラスの弱度、マイナスの強度、マイナスの弱度のレンズを用意しておくことで、費用を抑制し、かつ、試着レンズの形状を実際の装用イメージに近づけることができる。さらに、試着の結果の良し悪しをユーザーが自ら確認しやすくなる。
【０１２０】
試着用レンズ基材の材料は製品レンズの材料と同じ材料でも異なる材料であってもよい。同じ材料を使用すれば、納品された眼鏡レンズと試着レンズとの外観が異なるという不具合の発生を低減することができる。一方、製品レンズの材料よりも安価で加工が容易な材料を使用すれば、試着に要する費用を一層軽減することができる。製品レンズと試着レンズとの材料が異なる場合は、可能な限り製品レンズの外観に近い外観の試着レンズを得られる材料を使用することが好ましい。
【符号の説明】
【０１２１】
１０…眼鏡レンズ注文システム、１０２…第１レンズ加工機、１０４…ＰＣ、１０６…第１レンズ印刷装置、１２２…受注サーバー、１２４…第２レンズ加工機、１２６…第２レンズ印刷装置、１２８…コーティング装置。
【図１】
2013257401.tif 000003
【図２】
2013257401.tif 000004
【図３】
2013257401.tif 000005
【図５】
2013257401.tif 000006
【図４】
2013257401.tif 000007